【事件の表示】
　特願２００２−　６５０４５「光印写ヘッド、その作製方法及びそれを用いた画像形成装置」拒絶査定不服審判事件〔平成１５年　９月１６日出願公開、特開２００３−２６０８１１〕について、次のとおり審決する。
【結　論】
　本件審判の請求は、成り立たない。
【理　由】
第１　手続の経緯
　本件出願（以下「本願」という。）は、平成１４年３月１１日の出願であって、平成１９年１０月１５日付けで拒絶の理由が通知され、同年１２月２５日付けで手続補正がなされたが、平成２０年５月２日付けで拒絶査定がなされ、これに対し、同年６月１２日に本件審判が請求されるとともに、同年７月９日付けで明細書についての手続補正がなされたものである。
　その後、当審において平成２１年１２月２４日付けで審尋を行ったところ、平成２２年１月２１日付けで回答書が提出された。
　
第２　平成２０年７月９日付け手続補正についての補正の却下の決定
［補正の却下の決定の結論］
  平成２０年７月９日付け手続補正（以下「本件補正」という。）を却下する。
〔理由〕
１　補正の内容
（１）本件補正は、特許請求の範囲を補正するものであり、特許請求の範囲の請求項１については、本件補正前に、
「【請求項１】　複数の発光部を有する発光素子アレイと、
　前記発光素子アレイの光射出側に配置された透明部材と、
　前記各発光部に対応した前記透明部材の光射出側の位置に複数配置されたボールレンズとを備え、
　前記ボールレンズの間に穴を設けた遮光部材が配置されていることを特徴とする光印写ヘッド。」とあったものを、
　
「【請求項１】　複数の発光部を有する発光素子アレイと、
　前記発光素子アレイの光射出側に配置された透明部材と、
　前記各発光部に対応した前記透明部材の光射出側の位置に
各々独立して
　前記ボールレンズの間
であって、当該ボールレンズの光射出側かつ前記発光素子アレイから所定距離離間された位置に配置されると共に、前記ボールレンズの直径より小さい値の穴径でありかつ前記発光部の配列ピッチと同一ピッチに配置された
、
　
前記遮光部材により前記ボールレンズの位置決めと固定とが共になされ
　
（２）上記（１）の本件補正後の請求項１に係る補正は、本件補正前の請求項１の「ボールレンズ」の配置について、「各々独立して」いるとの限定を付加し、「遮光部材」に設けられた「穴」について、「当該ボールレンズの光射出側かつ前記発光素子アレイから所定距離離間された位置に配置されると共に、前記ボールレンズの直径より小さい値の穴径でありかつ前記発光部の配列ピッチと同一ピッチに配置された」との限定を付加し、「遮光部材」と「ボールレンズ」について、「遮光部材により前記ボールレンズの位置決めと固定とが共になされている」との限定を付加したものである。
　
２　補正の目的
　  本件補正後の請求項１に係る補正は、上記１（２）のとおり、本件補正前の請求項１の発明特定事項を限定するものである。
　したがって、本件補正後の請求項１に係る補正は、平成１８年法律第５５号改正附則第３条第１項によりなお従前の例によるとされる同法による改正前の特許法第１７条の２第４項第２号に掲げる特許請求の範囲の減縮を目的とするものである。
　
　そこで、本件補正後の請求項１に係る発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３　刊行物に記載された発明
（１）本願の出願前に頒布された刊行物であって、原査定の拒絶の理由に引用された特開２０００−６４６７号公報（以下「引用文献１」という。）には、以下の記載が図示とともにある。
　ア　「【０００１】
【発明の属する技術分野】本発明は、
光学露光方式のプリントヘッド
　イ　「【００２２】図において、本発明の画像書込みデバイスは、プリント配線基板１，この
プリント配線基板１の下面にサブマウント素子として接合された静電気保護用のツェナーダイオード２及びこのツェナーダイオード２の上に導通搭載したＬＥＤ素子を発光光学系として備えたもの
Ｒ，Ｇ，ＢのＬＥＤ素子３〜５のパターンがプリント配線基板１に複数組設けられる
【００２３】
プリント配線基板１はその平面形状をたとえばほぼ正方形状とし、Ｒ，Ｇ，ＢのそれぞれのＬＥＤ素子３，４，５の配列パターンに合わせてテーパ状のスルーホール１ａを貫通させたものである。そして、各スルーホール１ａの内周面からプリント配線基板１の上下両面にかけて導電パターン（図示せず）にそれぞれ導通する一対の電極膜１ｂ，１ｃを成膜している
【００２４】
プリント配線基板１の上には光を透過せず絶縁性のたとえば合成樹脂を素材としたシールドプレート６を光路層として積層し、このシールドプレート６によって各スルーホール１ａの中に下端側が入り込む球状の集光レンズ７を保持している
　ウ　「【００２５】図２は青色発光のＬＥＤ素子５のスルーホール１ａへの組込み及び導通構造の詳細を示す要部の縦断面図である。
【００２６】ツェナーダイオード２は、ｎ型シリコン基板２ａを素材としたもので、図において右側に偏った位置の上面側からｐ型不純物イオンを注入して拡散させて、ｐ型半導体領域２ｂを部分的に形成したものである。そして、ｎ型半導体領域に相当する部分にｎ側電極２ｃ及びｐ型半導体領域２ｂに相当する部分にｐ側電極２ｄをそれぞれ形成している。
【００２７】青色発光のＬＥＤ素子５はＧａＮ系化合物半導体を用いたフリップチップ型のものであって、サファイアの基板５ａにｎ−ＧａＮのｎ型層及びｐ−ＧａＮのｐ型層を積層するとともに、ｐ型層の表面にｐ側電極５ｂ及びｎ型層の表面にｎ側電極５ｃを蒸着法によって形成したものである。そして、これらのｐ側及びｎ側の電極５ｂ，５ｃにマイクロバンプ５ｄ，５ｅを形成し、熱，加重及び超音波振動の付加によってマイクロバンプ５ｄ，５ｅをツェナーダイオード２のｎ側電極２ｃ及びｐ側電極２ｄに接合する。これにより、ツェナーダイオード２とＬＥＤ素子５とは逆極性によって接続される。
【００２８】このように逆極性の接続によって、ＬＥＤ素子５に印加される逆方向電圧はツェナーダイオード２の順方向電圧付近すなわち０．９Ｖでバイパスが開く。また、ＬＥＤ素子５に印加される順方向電圧はツェナーダイオード２のツェナー電圧Ｖｚを１０Ｖ付近に設定することにより、その電圧でバイパスが開くことにより、それぞれ過電流がバイパスされる。したがって、静電気によるＬＥＤ素子５の破壊を確実に防ぐことができる。
【００２９】ＬＥＤ素子５を導通搭載したツェナーダイオード２は、ｐ側電極２ｄ及びｎ側電極２ｃにそれぞれマイクロバンプ２ｅ，２ｆを形成し、これによって電極膜１ｂ、１ｃに導通接続する。なお、ツェナーダイオード２とＬＥＤ素子５とをプリント配線基板１に対して確実に固定するために、ツェナーダイオード２の全体を含めて被覆する絶縁性の樹脂によって樹脂封止することが好ましい。
【００３０】一方、
球体の集光レンズ７はガラスまたは樹脂を素材としたもの
【００３１】ＬＥＤ素子５に通電されたときには、ｐ−ｎ接合域の活性層からの発光は、透明のサファイア基板５ａの上面を主光取出し面として記録紙Ｐ側に放出される。そして、ＬＥＤ素子５からの光は、上面側だけではなく側方や下方にも漏れ出る成分があるが、これらはスルーホール１ａの内周面に被膜した光反射率の高い電極膜１ｂによって記録紙Ｐ側に反射される。また、ツェナーダイオード２の表面に設けるｎ側及びｐ側電極２ｃ，２ｄも光反射率の高いのものとすることによって、下方に漏れる光を有効に回収することができる。
【００３２】Ｒ，ＧのＬＥＤ素子３，４とツェナーダイオード２との導通構造及び集光レンズ７のスルーホール１ａへの配置も全く同様であり、ＬＥＤ素子３，４をいずれもフリップチップ型のものとしておけばよい。
【００３３】以上の構成において、画像形成のためのコントローラ（図示せず）によって、デジタル画像は画素単位に分解され、各画素はカラーマップに変化される。そして、カラーマップは画素毎に割り当てられたデジタル信号となり、送られてきたデジタル信号に従い
各ＬＥＤ素子３〜５が発光し、それぞれの発光面に対峙して配置した集光レンズ７を通して記録紙Ｐ上の画素に焦点を結び、その記録紙Ｐ上の放射照度により、この記録紙Ｐ上のマイクロカプセルを露光して感光させる
【００３４】ここで、本発明においては、プリント配線基板１のスルーホール１ａの中にＬＥＤ素子３〜５を収納するとともに集光レンズ７もその一部をこのスルーホール１ａの中に落とし込む配置としているので、集光レンズ７を組み込むアセンブリであっても、プリント配線基板１からシールドプレート６の上面までの厚さを薄くできる。そして、ボンディング用のワイヤとの干渉がないので、集光レンズ７はＬＥＤ素子３〜５の発光面に近接配置できるので、画像書込みデバイスの全体の厚さの薄型化が可能となり、携帯用機器等への組込みが最適化される。
【００３５】また、集光レンズ７がＬＥＤ素子３〜５の発光面に近い位置に設置できるので、集光レンズ７の径を放射照度を高くできる程度の大きさに設定でき、記録紙Ｐ上での画像形成を高品質化することができる。そして、ＬＥＤ素子３〜５から側方に漏れ出る光も、電極膜１ｂを利用した反射面Ｒによって集光レンズ７側に回収でき、放射照度を更に上げることで、画像品質を一層向上させることもできる。
【００３６】更に、
ＬＥＤ素子３〜５はいずれもスルーホール１ａの中に位置し、集光レンズ７どうしの間は光を透過しないシールドプレート６が介在しているので、各ＬＥＤ素子３〜５どうしの間の発光のクロストークの発生もない
【００３７】そして更に、先にも述べたように、スルーホール１ａはテーパ状の孔であって集光レンズ７はこの中に落とし込むだけで調心配置することができる。そして、
集光レンズ７はスルーホール１ａのテーパ状の内周面に被膜した電極膜１ｂによって安定保持される
　
（２）上記（１）アないしウから、引用文献１には次の発明（以下「引用発明１」という。）が記載されていると認める。
　
　「プリント配線基板１の下面にサブマウント素子として接合された静電気保護用のツェナーダイオード２及びこのツェナーダイオード２の上に導通搭載したＬＥＤ素子を発光光学系として備え、
　Ｒ，Ｇ，ＢのＬＥＤ素子３〜５のパターンがプリント配線基板１に複数組設けられ、
　プリント配線基板１はその平面形状をたとえばほぼ正方形状とし、Ｒ，Ｇ，ＢのそれぞれのＬＥＤ素子３，４，５の配列パターンに合わせてテーパ状のスルーホール１ａを貫通させたものであって、各スルーホール１ａの内周面からプリント配線基板１の上下両面にかけて導電パターンにそれぞれ導通する一対の電極膜１ｂ，１ｃを成膜しており、
　プリント配線基板１の上には光を透過せず絶縁性のたとえば合成樹脂を素材としたシールドプレート６を光路層として積層し、このシールドプレート６によって各スルーホール１ａの中に下端側が入り込む球状の集光レンズ７を保持しており、
　球体の集光レンズ７はガラスまたは樹脂を素材としたものであり、
　各ＬＥＤ素子３〜５が発光し、それぞれの発光面に対峙して配置した集光レンズ７を通して記録紙Ｐ上の画素に焦点を結び、その記録紙Ｐ上の放射照度により、この記録紙Ｐ上のマイクロカプセルを露光して感光させ、
　ＬＥＤ素子３〜５はいずれもスルーホール１ａの中に位置し、集光レンズ７どうしの間は光を透過しないシールドプレート６が介在しているので、各ＬＥＤ素子３〜５どうしの間の発光のクロストークの発生もなく、
　集光レンズ７はスルーホール１ａのテーパ状の内周面に被膜した電極膜１ｂによって安定保持される光学露光方式のプリントヘッド。」
　
（３）本願の出願前の頒布された刊行物である特開平１０−１０７３２３号公報（以下「引用文献２」という。）には、以下の記載が図示とともにある。
　ア　「【０００１】
【発明の属する技術分野】本発明は、光ダイオード用パッケージに関し、特にレンズ保持構造の改善された光ダイオード用パッケージに関する。」
　イ　「【０００５】本発明は、上記欠点、問題点に鑑みてなされたものであり、
光ダイオード用レンズ付パッケージの“レンズの固定強度”を、振動や衝撃等の機械的ストレスに対して強くし、レンズ抜けをなくする
【０００６】
【課題を解決するための手段】本発明の上記目的は、
通信用光ダイオード素子のレンズ付パッケージのレンズが、該パッケージのキャップによるパッケージ外側からの支持と、金属ブロックの開口の縁部によるパッケージ内側からの支持とによる“挟み込み構造”によって実装されている光ダイオード用パッケージ
　ウ　「【０００８】
【作用】本発明は、
レンズの上部をレンズの直径よりも小さなレンズ穴が開いたキャップで直接固定し、これにより上方へのレンズ抜けを防止している。一方、下方へのレンズ抜けを防止するために、レンズ下部を円柱形で中央にレンズの直径よりも小さなくぼみをつけた例えば銅製の金属ブロックにより固定する
  エ　「【００１２】本発明の第一の実施形態は、図１，２に示すように、金属で形成されたキャップ４と同じく金属で形成されたステム７上に溶接された例えば銅製の銅ブロック５にて、レンズ１を固定する。
なお、銅ブロック５の中央は開口５ａがあいており、また、銅ブロック５の反対側は例えば半円形の切り欠き部５ｂが形成されている。この切り欠き部５ｂにヒートシンク６を介して光ダイオード素子８が設けられて
【００１３】また、レンズ１と銅ブロック５の間にゴムまたはラバーのような適宜弾力性のあるクッション材３をとりつける。更に、レンズ１の上部側とキャップ４の接触部分の気密をとるため、低融点ガラス２で焼結する。その際の熱の温度は400〜500℃が望ましい。なお、図中、９はリード端子である。
【０００１４】図１のＡ−Ａ線断面図である図２から判るように、本実施形態においては、
レンズ１より小さい直径を有するキャップ４と、円柱状で中央部に開口５ａを有した銅ブロック５で完全に固定する
【０００１５】次に、本発明における光ダイオード用パッケージの動作について、前掲の図１を参照して説明する。光ダイオード素子８から発光した光は、銅ブロック５の中央部の開口５ａを通り、レンズ１を介して、図示しない光ファイバや受光ダイオードに集光される。また、光ダイオード素子８は、動作時に発熱する。しかし、この熱は、ヒートシンク６を介して銅ブロック５に伝達され、更に銅ブロック５から外部へ効果的拡散される。」
　オ　図１及び図２より、レンズ１がボールレンズ（球レンズ）であることが看取できる。
　
（４）上記（３）アないしエから、引用文献２には次の発明（以下「引用発明２」という。）が記載されていると認める。
　
　「光ダイオード用レンズ付パッケージの“レンズの固定強度”を、振動や衝撃等の機械的ストレスに対して強くし、レンズ抜けをなくするために、
　通信用光ダイオード素子のレンズ付パッケージのボールレンズが、該パッケージのキャップによるパッケージ外側からの支持と、金属ブロックの開口の縁部によるパッケージ内側からの支持とによる“挟み込み構造”によって実装されている光ダイオード用パッケージであって、
　レンズの上部をレンズの直径よりも小さなレンズ穴が開いたキャップで直接固定し、これにより上方へのレンズ抜けを防止し、一方、下方へのレンズ抜けを防止するために、レンズ下部を円柱形で中央にレンズの直径よりも小さなくぼみをつけた例えば銅製の金属ブロックにより固定し、銅ブロック５の中央は開口５ａがあいており、また、銅ブロック５の反対側は例えば半円形の切り欠き部５ｂが形成されており、この切り欠き部５ｂにヒートシンク６を介して光ダイオード素子８が設けられ、
　ボールレンズ１より小さい直径を有するキャップ４と、円柱状で中央部に開口５ａを有した銅ブロック５で完全に固定し、
　光ダイオード素子８から発光した光は、銅ブロック５の中央部の開口５ａを通り、レンズ１を介して、光ファイバや受光ダイオードに集光される光ダイオード用レンズ付パッケージ。」
　
４　対比
　本願補正発明と引用発明１とを対比する。
（１）引用発明１の「ＬＥＤ素子３〜５」及び「光学露光方式のプリントヘッド」は、本願補正発明の「複数の発光部」及び「光印写ヘッド」に相当する。
　
（２）本願補正発明は、
　「複数の発光部を有する発光素子アレイと、
　前記発光素子アレイの光射出側に配置された透明部材と、
　・・・ボールレンズとを備え、
　・・・されていることを特徴とする光印写ヘッド。」とあり、本願補正発明の「発光素子アレイ」が「発光部の配列」自体を意味しているのか、「発光部」と「発光部が配列された基板」とからなるものを意味しているのか、必ずしも明らかではないところ、本願の出願当初の明細書及び図面には、「遮光マスク板７をボールレンズ１０の射出側の球面状に配置する構成（段落【００３４】、図４等参照。）を有する光印写ヘッドの実施例」としては、「発光部２が配列された基板（例えば、遮光マスク板７を設けていない他の実施例である図５や図６に示された『ガラス基板２１』に相当するもの。）」は設けられておらず、前者の解釈に対応した実施例が開示されている。
　また、請求人も、平成２２年７月２９日付け応対記録に添付された平成２２年７月２８日付け上申書としてファクシミリにより提出された書類において、「平成２０年７月９日付け手続補正書で補正した請求項１及び請求項７における『複数の発光部を有する発光素子アレイと前記発光素子アレイの光射出側に配置された透明部材と、』の記載の意味するところは、【図４】に示されるような複数の発光部２のアレイ自体（アレイ状配置）が請求項１及び請求項７における『複数の発光部を有する発光素子アレイ』を意味し、また、『前記発光素子アレイの光射出側に配置された透明部材』は【図４】に示される透明層３を意味するものであります。」と主張している。
　以上のことから、本願補正発明においては、「発光素子アレイ」とは、「複数の発光部のアレイ自体」を意味するものとして、以下解釈する。
　してみると、引用発明１の「Ｒ，Ｇ，ＢのＬＥＤ素子３〜５のパターン」は、本願補正発明の「複数の発光部を有する発光素子アレイ」に相当する。
　
（３）引用発明１は、「テーパ状のスルーホール１ａ」が、「ＬＥＤ素子３，４，５の配列パターンに合わせて」、「貫通」されているものであり、「シールドプレート６によって各スルーホール１ａの中に下端側が入り込む球状の集光レンズ７を保持し」ていることから、引用発明１の「集光レンズ７」は、「発光部（ＬＥＤ素子３〜５）に対応した」位置に、「各々独立して配置」されていることはあきらかである。
　したがって、引用発明１の「集光レンズ７」は、本願補正発明の「ボールレンズ」と、「各発光部に対応した位置に各々独立して複数配置されたボールレンズ」として一致する。
　
（４）引用発明１の「光を透過しないシールドプレート６」は、「集光レンズ７どうしの間」に「介在して」おり、「球状の集光レンズ７を保持して」いることから、「集光レンズ７を保持している空間」を有している。
　引用発明１の「『集光レンズ７』を保持している空間」は、「集光レンズ７」の配置されている箇所に設けられており、また、上記（２）のとおり「集光レンズ７」は、「各発光部に対応した位置」に設けられているから、引用発明１の「『集光レンズ７』を保持している空間」は、「各発光部に対応した位置」に設けられている。
　してみれば、引用発明１の「『集光レンズ７』を保持している空間」は、本願補正発明の「ボールレンズの光射出側かつ前記発光素子アレイから所定距離離間された位置に配置されると共に、前記ボールレンズの直径より小さい値の穴径でありかつ前記発光部の配列ピッチと同一ピッチに配置された穴」と、「発光部の配列ピッチと同一ピッチに配置された穴」という点で一致する。
　また、引用発明１の「集光レンズ７どうしの間」に「介在し」た「光を透過しないシールドプレート６」は、光を透過しない以上「遮光」することはあきらかであるから、本願補正発明の「ボールレンズの間であって、当該ボールレンズの光射出側かつ前記発光素子アレイから所定距離離間された位置に配置されると共に、前記ボールレンズの直径より小さい値の穴径でありかつ前記発光部の配列ピッチと同一ピッチに配置された穴を設けた遮光部材」と、「ボールレンズの間であって、発光部の配列ピッチと同一ピッチに配置された穴を設けた遮光部材」として一致する。
　
（５）上記（４）で述べた通り、引用発明１の「『シールドプレート６』が有する『集光レンズ７』を保持している空間」は、「各発光部に対応した位置」に設けられている。
　してみれば、「集光レンズ７」は、「『シールドプレート６』が有する『集光レンズ７』を保持している空間」により位置決めされているといえるから、引用発明１の「シールドプレート６によって各スルーホール１ａの中に下端側が入り込む球状の集光レンズ７を保持して」いることは、本願補正発明の「遮光部材により前記ボールレンズの位置決めと固定とが共になされていること」と、「遮光部材により前記ボールレンズの位置決めがなされていること」として一致する。
　
（６）上記（１）ないし（５）からみて、本願補正発明と引用発明１とは、
　
「複数の発光部を有する発光素子アレイと、
　前記各発光部に対応した位置に各々独立して複数配置されたボールレンズとを備え、
　前記ボールレンズの間であって、前記発光部の配列ピッチと同一ピッチに配置された穴を設けた遮光部材が配置され、　
　前記遮光部材により前記ボールレンズの位置決めがなされている光印写ヘッド。」
の点で一致し、以下の点で相違する。
　
＜相違点１＞
　本願補正発明は、「前記発光素子アレイの光射出側に配置された透明部材を備え」と特定されているのに対し、引用発明１は、そのような部材を備えていない点。
　
＜相違点２＞
　「ボールレンズの配置された位置」について、本願補正発明は、「前記透明部材の光射出側の位置」であると特定されているのに対し、引用発明１は、そのようになっていない点。
　
＜相違点３＞
　「遮光部材に設けた穴」について、本願補正発明は、「ボールレンズの光射出側かつ前記発光素子アレイから所定距離離間された位置に配置されると共に、前記ボールレンズの直径より小さい値の穴径であり」と特定されているのに対し、引用発明１は、そのようになっているか否か定かでなく、「遮光部材」について、本願補正発明は、「前記遮光部材により前記ボールレンズの位置決めと固定とが共になされている」と特定されているのに対し、引用発明１は「位置決め」はされているが、「固定」されているのか否か定かでない点。
　
５　判断
　上記相違点について検討する。
（１）相違点１について
　平成２０年５月２日付け拒絶査定において「特開平２−２８６３５８号公報」を例示したように、「複数の発光素子からなる発光素子アレイの光射出側に透明基板を配置し、レンズアレイの光軸に発光位置をあわせて発光素子アレイをレンズアレイとは反対側に位置して形成」することは周知であり（以下「周知技術」という。）、引用発明１に、上記のような周知技術を採用することは、当業者であれば、容易に想到し得るものである。
　
（２）相違点２について
　引用発明１は、「各ＬＥＤ素子３〜５が発光し、それぞれの発光面に対峙して配置した集光レンズ７を通して記録紙Ｐ上の画素に焦点を結」ぶようにしていることから、「ボールレンズの配置された位置」は、「発光素子アレイの光射出側の位置」である。
　してみれば、引用発明１に周知技術を採用して、「複数の発光素子からなる発光素子アレイの光射出側に透明基板を配置」することにより、「ボールレンズの配置された位置」について、「透明基板（透明部材）の光射出側の位置」と成すことは、当業者であれば容易に想到し得るものである。
　
（３）相違点３について
  引用発明２は、「レンズの上部をレンズの直径よりも小さなレンズ穴が開いたキャップで直接固定し、これにより上方へのレンズ抜けを防止し、一方、下方へのレンズ抜けを防止するために、レンズ下部を円柱形で中央にレンズの直径よりも小さなくぼみをつけた例えば銅製の金属ブロックにより固定し」、「光ダイオード素子８から発光した光は、・・・レンズ１を介して、・・・集光される」ことから、キャップ４により、集光が可能なようにボールレンズ１の位置決めと固定とが共になされていることは明らかである。
　また、キャップ４に設けられたレンズ直径よりも小さなレンズ穴は、銅ブロック５により形成される距離以上に光ダイオード素子から離間された位置に配置されているから、「ボールレンズの光射出側かつ光ダイオード素子から銅ブロック５により形成される所定距離以上に、離間された位置に配置されると共に、前記ボールレンズの直径より小さい値の径」のレンズ穴がキャップ４に形成されていることも明らかである。
　してみれば、ボールレンズのレンズ抜けを防止するために、レンズの固定強度を向上させるという課題は当然の課題であるから、引用発明１のボールレンズを安定保持させるために、引用発明２のような挟み込み構造による固定構造を採用して、上記相違点３に係る構成とすることは、当業者が容易に想到し得るものである。
　
（４）効果について
　本願補正発明の奏する効果は、引用発明１の奏する効果、引用発明２の奏する効果及び周知技術の奏する効果から当業者が予測できた程度のものである。
　
（５）まとめ
　以上の検討によれば、本願補正発明は、当業者が引用文献１に記載された発明、引用文献２に記載された発明及び周知技術に基づいて容易に発明することができたものであるから、特許法第２９条第２項の規定により特許出願の際独立して特許を受けることができないものである。
　
６　小括
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
第３　本願発明について
１　本願発明
　本件補正は上記のとおり却下されたので、本願の請求項１に係る発明は、本件出願の出願当初の特許請求の範囲の記載からみて、その特許請求の範囲の請求項１に記載された事項により特定されるものであるところ、その請求項１に係る発明（以下「本願発明」という。）は、上記「第２〔理由〕１（１）」で本件補正前の請求項１として記載したものである。
　
２　刊行物
　原査定の拒絶の理由に引用された刊行物及びその記載事項は、前記「第２〔理由〕３（１）及び（２）」に記載したとおりである。
　
３　対比・判断
　本願発明と引用発明１とを対比する。
（１）引用発明１の「ＬＥＤ素子３〜５」及び「光学露光方式のプリントヘッド」は、本願補正発明の「複数の発光部」及び「光印写ヘッド」に相当する。
　
（２）引用発明１の「Ｒ，Ｇ，ＢのＬＥＤ素子３〜５のパターン」は、本願補正発明の「複数の発光部を有する発光素子アレイ」に相当する。
　
（３）引用発明１は、「テーパ状のスルーホール１ａ」が、「ＬＥＤ素子３，４，５の配列パターンに合わせて」、「貫通」されているものであり、「シールドプレート６によって各スルーホール１ａの中に下端側が入り込む球状の集光レンズ７を保持し」ていることから、引用発明１の「集光レンズ７」は、「発光部（ＬＥＤ素子３〜５）に対応した」位置に配置されていることはあきらかである。
　したがって、引用発明１の「集光レンズ７」は、本願補正発明の「ボールレンズ」と、「各発光部に対応した位置に複数配置されたボールレンズ」として一致する。
　
（４）引用発明１の「シールドプレート６」は、「球状の集光レンズ７を保持」し、「各ＬＥＤ素子３〜５が発光し、それぞれの発光面に対峙して配置した集光レンズ７を通して記録紙Ｐ上の画素に焦点を結び、その記録紙Ｐ上の放射照度により、この記録紙Ｐ上のマイクロカプセルを露光して感光」していることから、穴が設けられ、ボールレンズ間に配置されていることは、明らかである。
　
（５）上記（１）ないし（４）からみて、本願発明と引用発明１とは、
「複数の発光部を有する発光素子アレイと、
　前記各発光部に対応した位置に複数配置されたボールレンズとを備え、
　前記ボールレンズの間に穴を設けた遮光部材が配置されている光印写ヘッド。」
　の点で一致し、以下の点で相違する。
　
＜相違点１＞
　本願補正発明は、「前記発光素子アレイの光射出側に配置された透明部材を備え」と特定されているのに対し、引用発明１は、そのような部材を備えていない点。
　
＜相違点２＞
　「ボールレンズの配置された位置」について、本願補正発明は、「前記透明部材の光射出側の位置」であると特定されているのに対し、引用発明１は、そのようになっていない点。
　
（６）判断
　上記相違点１及び２については、前記「第２〔理由〕５」で検討したとおり、引用発明１に、周知技術を採用することは、当業者であれば、容易に想到し得るものである。
　
４　むすび
　以上のとおり、本願発明は、当業者が引用文献１に記載された発明及び周知技術に基づいて容易に発明をすることができたものであるから、特許法第２９条第２項の規定により特許を受けることができない。
　よって、結論のとおり審決する。